(57)【要約】      （修正有）【課題】乳製品或いは飲料の冷却保持装置のコンデンサーを提供する。【解決手段】冷却保持装置のコンデンサー３０は接触段部３１を有し、接触段部３１の第一外端３１１には第一連結部３２が延設され、接触段部３１の第二外端３１２には第二連結部３３が延設され、接触段部３１には平面部が設けられ、平面部により冷却保持装置の収容室の外側壁面に貼り付けられる。これにより、熱伝導効果が向上する。【選択図】図１０
0003206413.tif 000002
【実用新案登録請求の範囲】
【請求項１】
所定の形状で連続して折り曲げられる接触段部を有し、前記接触段部の第一外端には外に向けて第一連結部が延設され、第二外端には外に向けて第二連結部が延設され、前記接触段部の横断面構造には平面部が設けられ、前記平面部により冷却保持装置の収容室の外側壁面に貼り付けられることを特徴とする乳製品或いは飲料の冷却保持装置のコンデンサー。
【請求項２】
前記接触段部の平面部の二側には第一円弧部及び第二円弧部がそれぞれ設けられ、前記第一円弧部と第二円弧部との間は外部平面部により連結されることを特徴とする、請求項１に記載の乳製品或いは飲料の冷却保持装置のコンデンサー。
【請求項３】
前記接触段部の横断面構造は平面部及び弧状板部を備え、前記弧状板部の両端は前記平面部の両端に接合されることを特徴とする、請求項１に記載の乳製品或いは飲料の冷却保持装置のコンデンサー。
【考案の詳細な説明】
【技術分野】
【０００１】
本考案は、改良された乳製品或いは飲料の冷却保持装置のコンデンサーに関する。
【背景技術】
【０００２】
図１は従来のコーヒー供給装置を示す概略図であり、コーヒーミル１０及び冷却保持装置２０を備える（図２参照）。冷却保持装置２０のドア２１が開かれ、収容室２２にミルク２３が入れられて、低温で冷蔵される。
【０００３】
収容室は鋼鉄材料で製造され、且つ収容室の外側面には折曲形態のコンデンサー２４が設置され、コンデンサーの内側面は前記収容室の外側面に貼り付けられ、コンデンサー内部では冷却剤が循環して低温が収容室に伝導され、収容室内部の温度が低下する。収容室内部に保存されるミルクが低温状態に保持されて鮮度が保たれる（図３及び図４参照）。
【考案の概要】
【考案が解決しようとする課題】
【０００４】
しかしながら、前述した従来のコンデンサー技術では、すなわち、従来のコンデンサーは銅製の中空管体である（図５参照）。コンデンサーの横断面は円形を呈するため、コンデンサー全体と収容室の外側面との間は線接触形態で熱伝導が行われ、熱伝導効果が極めて限定的であるという欠点が存在した。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案は、冷却保持装置のコンデンサーを提供することを主目的とする。
【課題を解決するための手段】
【０００７】
上述した課題を解決し、目的を達成するために、本考案に係る冷却保持装置のコンデンサーは、所定の形状で折り曲げられる接触段部を有し、接触段部の第一外端には第一連結部が設けられ、接触段部の第二外端には第二連結部が設けられ、前記接触段部は、前記収容室の外側面に貼り付けられるための平面部を有することを特徴とする。
【考案の効果】
【０００８】
本考案は、コンデンサーと収容室の外側面との間が面接触形態に設計されることで、低温を伝導させる面積が増加し、熱伝導効果が高まる。
【図面の簡単な説明】
【０００９】
【図１】従来のコーヒー供給装置が冷却保持装置に組み合わせられる外観斜視図である。
【図２】冷却保持装置の使用を示す概略図である。
【図３】冷却保持装置の収容室及びコンデンサーの関連関係を示す概略図である。
【図４】図３に示す左側図である。
【図５】図４の５−５線に沿ってなる拡大の断面図である。
【図６】本考案の第１実施形態に係る冷却保持装置のコンデンサーを説明する概略図である。
【図７】図６の７−７の断面線に沿ってなる断面図である。
【図８】本考案の使用を示す概略図である。
【図９】図８の９−９の断面線に沿ってなる断面図である。
【図１０】図８の背面を示す斜視図である。
【図１１】図８を示す背面図である。
【図１２】本考案の他の実施形態に係る冷却保持装置のコンデンサーを示する概略図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１１】
（第１実施形態）
以下、第１実施形態を図６〜１１に基づいて説明する。コンデンサー３０は所定の形状で連続して折り曲げられる接触段部３１を有し、接触段部３１の第一外端３１１には外に向けて第一連結部３２が延設され、そして接触段部３１の第二外端３１２には外に向けて第二連結部３３が延設され、接触段部３１の横断面構造には平面部３１３が設けられ、平面部３１３の二側には第一円弧部３１４及び第二円弧部３１５がそれぞれ設けられ、第一円弧部３１４と第二円弧部３１５との間は外部平面部３１６により連結される。
【００１２】
また、使用上、接触段部３１の平面部３１３により乳製品或いは飲料の冷却保持装置の収容室４０の外側壁面に貼り付けられ、第一連結部３２は冷却保持装置の毛細管に連結されるために用いられ、第二連結部３３は冷却保持装置のコンプレッサーに連結される。実際の使用では、冷却剤が接触段部３１を経由する場合、接触段部３１により更に多くの低温のエネルギーが収容室４０に伝導される。
【００１３】
なお、本考案は、コンデンサーと収容室の外側面との間が面接触形態を呈するように設計されるため、低温を伝導させる総面積が大幅に増加し、熱伝導効果が十分に向上する。従来の円形の断面のコンデンサーの従来の線接触構造形態に比べ、本考案は進歩性を有する。
【００１４】
他の実施態様では、前記接触段部３１の断面構造は図１２に示すように、平面部３１３及び弧状板部３１７を備え、弧状板部３１７の両端は平面部３１３の両端に接合される。
【００１５】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００１６】
１０  コーヒーミル
２０  冷却保持装置
２１  ドア
２２  収容室
２３  ミルク
２４  コンデンサー
３０  コンデンサー
３１  接触段部
３１１  第一外端
３１２  第二外端
３１３  平面部
３１４  第一円弧部
３１５  第二円弧部
３１６  外部平面部
３１７  弧状板部
３２  第一連結部
３３  第二連結部
４０  収容室
【図１】
0003206413.tif 000003
【図２】
0003206413.tif 000004
【図３】
0003206413.tif 000005
【図４】
0003206413.tif 000006
【図５】
0003206413.tif 000007
【図６】
0003206413.tif 000008
【図７】
0003206413.tif 000009
【図８】
0003206413.tif 000010
【図９】
0003206413.tif 000011
【図１０】
0003206413.tif 000012
【図１１】
0003206413.tif 000013
【図１２】
0003206413.tif 000014